(57)【要約】【課題】  小型かつ軽量の携帯電話を利用した地理情報取得装置を提供する。【解決手段】  地盤に設置され、標示情報が記憶された識別体１２を有する位置標示器１０と、前記標示情報を前記位置標示器１０の外部から検出する検出器２０と、地理情報６０を蓄積するデータベース５１が設けられたサーバ５０にネットワーク４０を介して通信する携帯電話３０とを備え、前記携帯電話３０が、前記検出器２０が検出した前記標示情報を受信する標示情報受信手段３２と、前記サーバ５０にネットワーク４０を介して前記標示情報を送信する標示情報送信手段３３と、前記データベース５１に蓄積された地理情報６０のうち、前記位置標示器２０に関連する地理情報６０を前記サーバ５０からネットワーク４０を介して受信する地理情報受信手段３４と、前記地理情報６０を表示する表示手段３１とを有する。【選択図】        図１
2006030967.tif 000002
【特許請求の範囲】
【請求項１】
地盤に設置され、標示情報が記憶された識別体を有する位置標示器と、
前記標示情報を前記位置標示器の外部から検出する検出器と、
地理情報を蓄積するデータベースが設けられたサーバにネットワークを介して通信する携帯電話とを備え、
前記携帯電話が、前記検出器が検出した前記標示情報を受信する標示情報受信手段と、前記サーバにネットワークを介して前記標示情報を送信する標示情報送信手段と、前記データベースに蓄積された地理情報のうち、前記位置標示器に関連する地理情報を前記サーバからネットワークを介して受信する地理情報受信手段と、前記地理情報を表示する表示手段とを有する地理情報取得装置。
【請求項２】
請求項１において、標示情報は位置標示器を識別するための識別番号である地理情報取得装置。
【発明の詳細な説明】
【技術分野】
【０００１】
本発明は、位置や埋設物を標示するのに好適な標示器を用いて地理情報を取得する地理情報取得装置に関する。
【背景技術】
【０００２】
従来、土地や道路の位置または土地の境界や測量点などを標示するために、標示器を地盤に打ち込んでいる。この標示器に、標示器の識別番号を記憶した記憶素子を内蔵させ、この識別番号を外部から読み取り、識別番号を検索キーとしてデータベースに登録されている各種の情報を読み出す地理情報取得装置が提案されている（特許文献１）。
【特許文献１】特開２００３−１２２２４９号公報
【０００３】
しかし、従来の地理情報取得装置では、データベースから地理情報を取得するためにコンピュータを現場に持ち込まなければならず、小型かつ軽量で、携帯が容易な地理情報取得装置を実現することができなかった。
【発明の開示】
【発明が解決しようとする課題】
【０００４】
そこで、本発明は小型かつ軽量の携帯電話を利用した地理情報取得装置を提供することを目的とする。
【課題を解決するための手段】
【０００５】
上記目的を達成するために、本発明に係る地理情報取得装置は、地盤に設置され、標示情報が記憶された識別体を有する位置標示器と、前記標示情報を前記位置標示器の外部から検出する検出器と、地理情報を蓄積するデータベースが設けられたサーバにネットワークを介して通信する携帯電話とを備え、前記携帯電話が、前記検出器が検出した前記標示情報を受信する標示情報受信手段と、前記サーバにネットワークを介して前記標示情報を送信する標示情報送信手段と、前記データベースに蓄積された地理情報のうち、前記位置標示器に関連する地理情報を前記サーバからネットワークを介して受信する地理情報受信手段と、前記地理情報を表示する表示手段とを有している。ここで、標示情報とは、位置表示器を特定するための情報であり、例えば、識別番号である。地理情報とは、境界標示や区画番号、基準点からの距離、測量点などの土地や道路の位置（経度、緯度）などの位置を示す情報、およびその位置のケーブル、水道管、ガス管等の埋設状況を示す情報である。
【０００６】
前記構成によれば、携帯電話が標示情報受信手段、標示情報送信手段、地理情報受信手段、および表示手段を有しているから、従来のようなコンピュータが不要になるので、地理情報取得装置が小型かつ軽量で、携帯が容易になる。
【発明の効果】
【０００７】
本発明の地理情報取得装置によれば、携帯電話を利用することにより、小型かつ軽量で、携帯が容易な地理情報取得装置を実現することができる。
【発明を実施するための最良の形態】
【０００８】
以下、本発明の実施形態を図面にしたがって説明する。
図１は、本発明に係る地理情報取得装置を含む、地理情報ネットワークシステムを示している。地理情報ネットワークシステムは、複数の地理情報取得装置１００および地理情報６０を管理し、サーバの役割を果たすセンター５０で構成され、これらはインターネットのような通信ネットワーク４０に接続されている。センター５０には、地理情報６０を蓄積するデータベース５１が設けられている。センター５０は、例えば、地理情報６０を集中管理する、地域ごとの情報管理センターのコンピュータ、または地理情報取得装置１００を使用する会社のコンピュータである。
【０００９】
地理情報取得装置１００は、位置標示器１０、検出器２０および携帯電話３０で構成されている。位置標示器１０は、地盤に一部もしくは全部が埋め込まれる杭もしくは鋲、または地盤に設置されて地上に露出する壁、柱などの建築物に設けられる刻印もしくはステッカーを含む位置標示部材１１と、この位置標示部材１１に内蔵される、またはその近傍に設置される識別体１２とを有している。この識別体１２には、読み出し可能な識別番号のような標示情報が記憶されており、磁界が付加されると、識別番号を示す特有の周波数の電磁波を発生する。
【００１０】
検出器２０は、非接触で前記識別体１２から位置標示器１０の識別番号のような標示情報を読み出すものであって、磁気検知器が用いられる。この磁気検知器は、指向性のある磁界を発生させる磁界発生器と受信器とを備えている。これにより、検出器２０が識別体２に近接すると、検出器２０の磁界発生器から発生する磁界が識別体１２に付加されることにより、識別体１２から電磁波が発生する。この電磁波を検出器２０の受信器により検出する。また、検出器２０は、無線により、読み取った識別番号を携帯電話３０に送信するための赤外線ポート２２を有する。
【００１１】
携帯電話３０は、前記磁気検出器２０から送信される識別番号を受信する、赤外線ポート３２を有する。また、携帯電話３０は、センター５０にインターネット４０を介して識別番号を送信する標示情報送信手段３３と、データベース５１に蓄積された地理情報６０のうち、該当する位置標示器１０に関連する地理情報６０をセンター５０からインターネット４０を介して受信する地理情報受信手段３４とを有する。
【００１２】
携帯電話３０には、例えば、ＮＴＴドコモ（登録商標）の「ｉアプリ（登録商標）」のようなアプリケーションサービスが導入されている。これにより、アプリケーションソフトウェアを利用して、センター５０との情報の送受信が可能となる。
【００１３】
携帯電話３０に設けられた表示画面３１には、検出された地理情報６０が表示される。
【００１４】
センター５０のデータベース５１には、図２に示すように、地理情報６０として位置標示器１０の認識情報（ＩＤ）、識別番号（Ｎｏ．）、経度Ｘ、緯度Ｙおよび高さＺからなる座標位置、および備考として、位置標示器１０周辺のケーブル、水道管、ガス管等の埋設物に関する情報が、位置表示器１０の識別番号（Ｎｏ．）に関連づけて記憶されている。位置標示器１０のＩＤは、例えば、数字、アルファベットのような文字、または符号が組み合わされて構成され、位置標示器１０が設置された地域ごとに共通の符号を付すというように、一見して識別できる属性を表すことができる。識別番号（Ｎｏ．）は、例えば、数字を組合せた簡単な構成であり、データベース５１から地理情報６０を検出するための検索キーとして利用される。地理情報６０として、ほかに、境界標示や区画番号、基準点からの距離などの位置を示す情報を記憶させることもできる。
【００１５】
次に、図１の地理情報取得装置１００を用いて地籍調査を行う場合の手順について説明する。はじめに、識別番号が書き込まれた識別体１２を内蔵した位置標示器１０の一部または全部が地盤に埋め込まれる。この後、地籍の調査を行うときに、前記検出器２０を用いて位置標示器１０の探索が行われる。
【００１６】
このとき、検出器２０から発生した磁界が位置標示器１０の識別体１２に付加されると、識別体１２が特有の周波数の電磁波を発生する。この電磁波を検出器２０が受信し、検出器２０に内蔵された変換器が識別番号をデジタルデータに変換して識別番号「１８１８９」として、赤外線ポート２２から赤外線により携帯電話３０に送信される。
【００１７】
携帯電話３０は、前記検出器２０から送信される識別番号「１８１８９」を、赤外線ポート３２により受信し、通信ネットワーク４０を介してセンター５０に送信する。センター５０は、データベース５１を検索し、記憶された図２の地理情報６０の中から、識別番号「１８１８９」に対応する情報を検出する。
【００１８】
検出された地理情報６０は、センター５０から、携帯電話３０に送信される。携帯電話３０にダウンロードされた地理情報６０は、図３のように、携帯電話３０の表示画面３１に表示される。この表示画面３１によれば、本実施形態の位置表示器１０は、ＩＤが「３４Ａ５Ｆ」で、東経１３５度、北緯３５度、高度２０ｍに位置し、近くに水道管が埋設されていることがわかる。
【００１９】
データベース５１に記憶された表の情報を順に表示することにより、経度Ｘ、緯度Ｙおよび高さＺのような地理情報６０が簡潔に表示されるから、携帯電話３０に設けられた比較的小型の表示画面３１でも必要な情報を一目で把握することができる。
【図面の簡単な説明】
【００２０】
【図１】本発明の一実施形態に係る地理情報取得装置を含む地理情報ネットワークシステムの概略ブロック図である。
【図２】図１の地理情報ネットワークシステムのセンターのデータベースに記憶された地理情報を示す図である。
【図３】図１の地理情報取得装置の携帯電話の表示画面に表示される地理情報を示す図である。
【符号の説明】
【００２１】
１０  位置標示器
１２  識別体
２０  検出器
３０  携帯電話
３２  標示情報受信手段
３３  標示情報送信手段
３４  地理情報受信手段
４０  通信ネットワーク
５０  センター
５１  データベース
６０  地理情報
１００  地理情報取得装置
【図１】
2006030967.tif 000003
【図２】
2006030967.tif 000004
【図３】
2006030967.tif 000005